(57)【要約】【課題】  バッテリ交換時の使い勝手を向上させる。【解決手段】  本体部２の背面側のファインダ部８よりも下方に位置してバッテリ９が挿脱されるバッテリ挿脱口１０と、バッテリ挿脱口１０を通して内部にバッテリ９が収納されるバッテリ収納部１１と、本体部２の背面側にヒンジ機構３１を介して基端側が回動可能に支持されることによってバッテリ挿脱口１０を開放する開放位置とバッテリ挿脱口１０を閉塞する閉塞位置との間で開閉可能とされた蓋体１２と、蓋体１２がバッテリ挿脱口１０を閉塞した状態を保持するための蓋ロック機構３３とを備え、蓋ロック機構３３は、蓋体１２の先端側の側面部に設けられた操作部５４ａを摘むことによってそのロック状態が解除される。【選択図】  図２
2005210527.tif 000002
【特許請求の範囲】
【請求項１】
被写体の像を撮像するための撮像ユニットが設けられた本体部と、
上記本体部の背面側に位置して上記撮像ユニットにより撮像された画像を覗き見るためのファインダ部と、
上記本体部の背面側の上記ファインダ部よりも下方に位置してバッテリが挿脱されるバッテリ挿脱口と、
上記バッテリ挿脱口を通して内部にバッテリが収納されるバッテリ収納部と、
上記本体部の背面側にヒンジ機構を介して基端側が回動可能に支持されることによって上記バッテリ挿脱口を開放する開放位置と上記バッテリ挿脱口を閉塞する閉塞位置との間で開閉可能とされた蓋体と、
上記蓋体が上記バッテリ挿脱口を閉塞した状態を保持するための蓋ロック機構とを備え、
上記蓋ロック機構は、上記蓋体の先端側の側面部に設けられた操作部を摘むことによってそのロック状態が解除されることを特徴とする撮像装置。
【請求項２】
上記ヒンジ機構は、支軸と、この支軸が挿通される上記本体部側の軸受部及び上記蓋体側の軸受部とを有し、このうち、一方の軸受部は、その軸線方向の両側の端部に一対の係止部を有し、他方の軸受部は、上記一方の軸受部を挟んだ軸線方向の両側に位置して上記一対の係止部を軸回りに係止する一対の被係止部を有しており、
上記本体部側の軸受部と上記蓋体側の軸受部とは、上記支軸を中心に互いに逆向きに回動されると共に、上記開放位置にて上記一対の係止部が上記一対の被係止部に対して互いに逆向きに当接されることによって、上記蓋体の上記バッテリ挿脱口を開放する側への回動を係止することを特徴とする請求項１記載の撮像装置。
【請求項３】
上記蓋体には、上記バッテリ収納部に収納されたバッテリに対する回路部が設けられていることを特徴とする請求項１記載の撮像装置。
【請求項４】
上記蓋体は、上記開放位置において上記バッテリ収納部の一内側面と連続した面を形成することを特徴とする請求項１記載の撮像装置。
【請求項５】
上記蓋体が上記バッテリ挿脱口を開放する側へと回動したときに上記開放位置にてクリック感を付与するクリック機構を備えることを特徴とする請求項１記載の撮像装置。
【請求項６】
上記バッテリ収納部に収納されたバッテリが上記バッテリ挿脱口から排出される方向に移動するのを係止するバッテリロック機構を備えることを特徴とする請求項１記載の撮像装置。
【発明の詳細な説明】
【技術分野】
【０００１】
本発明は、内部にバッテリを収納可能とする撮像装置に関する。
【背景技術】
【０００２】
例えば、デジタルビデオカメラやデジタルスチルカメラ等の撮像装置では、電源としてバッテリ（電池）を用いている。また、撮像装置の中には、装置全体の外観を損なうことがないようにバッテリを内部に収納可能としたものがある（例えば、特許文献１〜３を参照。）。
【０００３】
このような撮像装置の本体部には、バッテリが挿脱されるバッテリ挿脱口と、このバッテリ挿脱口を通して内部にバッテリを収納するバッテリ収納部と、このバッテリ挿脱口を開閉する蓋体とが設けられている。また、撮像装置では、バッテリがバッテリ挿脱口から安易に飛び出したり、落下することがないように、蓋体の誤った開放動作を防止する蓋ロック機構を備えたものが一般的となっている。
【０００４】
ところで、従来の撮像装置におけるバッテリの交換作業は、ユーザにとって大変煩わしいものであった。例えば特許文献２に記載される蓋体の開閉装置では、本体部を持ち替えてその底面部にある蓋ロック機構の操作部をスライドさせてロック状態を解除した後に、蓋体を回動中心とは反対側にスライドさせてから、この蓋体をバッテリ挿脱口を開放する方向に回動させるといった開放操作、或いはそれとは逆の閉塞動作を必要とする。これは、本体部の限られたスペースの中で比較的重量が大きくなるバッテリをバッテリ収納部に確実に保持するためであり、逆に、ユーザにとってはバッテリ交換を煩わしく感じさせる大きな要因となっていた。
【０００５】
【特許文献１】特開平９−２２５８５号公報
【特許文献２】特開平９−１６３２０４号公報
【特許文献３】特開平６−１１９９２０号公報
【発明の開示】
【発明が解決しようとする課題】
【０００６】
そこで、本発明は、このような従来の事情に鑑みて提案されたものであり、バッテリ収納部に対する蓋体の開閉操作やバッテリの交換等における使い勝手を更に向上させることを可能とした撮像装置を提供することを目的とする。
【課題を解決するための手段】
【０００７】
この目的を達成するために、本発明に係る撮像装置は、被写体の像を撮像するための撮像ユニットが設けられた本体部と、本体部の背面側に位置して撮像ユニットにより撮像された画像を覗き見るためのファインダ部と、本体部の背面側のファインダ部よりも下方に位置してバッテリが挿脱されるバッテリ挿脱口と、バッテリ挿脱口を通して内部にバッテリが収納されるバッテリ収納部と、本体部の背面側にヒンジ機構を介して基端側が回動可能に支持されることによってバッテリ挿脱口を開放する開放位置とバッテリ挿脱口を閉塞する閉塞位置との間で開閉可能とされた蓋体と、蓋体がバッテリ挿脱口を閉塞した状態を保持するための蓋ロック機構とを備え、蓋ロック機構は、蓋体の先端側の側面部に設けられた操作部を摘むことによってそのロック状態が解除されることを特徴としている。
【発明の効果】
【０００８】
以上のように、本発明に係る撮像装置では、本体部の背面側のファインダ部よりも下方にバッテリ挿脱口が設けられ、このバッテリ挿脱口を閉塞する蓋体の先端側の側面部に設けられた操作部を摘むことによって、蓋ロック機構によるロック状態が解除される。そして、この操作部を摘んだ状態のまま蓋体を回動させることによってバッテリ挿脱口を開放することができる。これにより、本体部の限られたスペースに設けられたバッテリ収納部に対する蓋体の開閉操作やバッテリの交換等における使い勝手を更に向上させることが可能である。
【発明を実施するための最良の形態】
【０００９】
以下、本発明を適用した撮像装置について、図面を参照しながら詳細に説明する。
【００１０】
本発明を適用した撮像装置は、例えば図１及び図２に示すカメラ一体型デジタルビデオテープレコーダ（以下、デジタルビデオカメラという。）１である。このデジタルビデオカメラ１は、本体部２と、この本体部２の一側面に開閉可能に取り付けられたパネル部３と、このパネル部３とは反対側の本体部２の他側面に回動可能に取り付けられたグリップ部４とを備えている。
【００１１】
本体部２は、被写体の像を撮影するための撮像ユニットを有しており、この本体部２の前面には、撮像レンズ５ａを外部に臨ませるレンズ部５が突出して設けられている。また、本体部２の上面部には、夜間等にストロボを発光させるフラッシュ発光部６がポップアップ可能に設けられている。また、本体部２の上面部には、音声を収録するための音声収録ユニットとして、マイクロフォン等のステレオマイク７がフラッシュ発光部６よりも後方に位置して設けられている。
【００１２】
なお、本体部２の内部には、撮像レンズ５ａを含む撮像光学系が内蔵されたレンズ鏡筒や、このレンズ鏡筒で結像された被写体の像を撮像するＣＣＤ(Charge Coupled Device)やＣＭＯＳ(Complementary Mental-Oxide Semiconductor device)等の撮像素子が設けられている。そして、この撮像ユニットは、撮像レンズ５ａを通して取り込まれた画像を撮像素子により電気信号に変換し、映像データとして後述する記録再生ユニットや表示ユニット等に出力する。
【００１３】
本体部２の背面側の上部には、上述した撮像ユニットにより撮像された画像を表示する本体側の表示ユニットとして、アイカップ８ａを通して内部の液晶表示素子(ＬＣＤ:Liquid Crystal Display)に表示された画像を覗き見るファインダ部(ＥＶＦ:Electronic View Finder)８が設けられている。
【００１４】
本体部２の背面側の下部には、図２及び図６に示すように、バッテリ９が挿脱されるバッテリ挿脱口１０と、このバッテリ挿脱口１０を通して内部にバッテリ９を収納するバッテリ収納部１１と、このバッテリ挿脱口１０を開閉する蓋体１２とが設けられている。すなわち、このデジタルビデオカメラ１では、バッテリ９を本体部２の内部に収納することが可能となっている。
【００１５】
また、本体部２とグリップ部４との間の連結部１３の背面側には、端子カバー１４が開閉可能に取り付けてられており、この端子カバー１４の内側には、例えばヘッドフォンやマイク等を接続するためのヘッドフォン出力端子やマイク入力端子、パーソナルコンピュータ等の他の電子機器に対して映像信号及び音声信号の入出力を行うための映像／音声入出力端子、外部電源（ＡＣアダプタ）と接続される電源ジャック等の端子部が設けられている。また、本体部２の各所には、各種操作を行うための操作ボタンやスイッチ等が設けられている。
【００１６】
パネル部３は、図２及び図３に示すように、本体部２に２軸の回動ヒンジ機構１５を介して回動可能に取り付けられている。このヒンジ機構１５は、パネル部３を本体部２に対して、図３中矢印Ａに示す開閉方向に略９０゜の角度範囲で回動可能に支持すると共に、図３中矢印Ｂに示す開閉方向と直交する軸回りに略２７０゜の角度範囲で回動可能に支持している。これにより、パネル部３は、本体部２に対して開閉したり、開いた状態において向きを切り替えることが可能となっている。また、パネル部３は、閉じた状態において、本体部２の一側面を切り欠くように形成されたパネル収納部１６に収納することが可能となっている。
【００１７】
また、パネル部３の一主面側には、上述した撮像ユニットにより撮像された画像を表示するパネル側の表示ユニットとして、液晶表示パネル（ＬＣＤ）１７が設けられている。したがって、このデジタルビデオカメラ１では、上記ファインダ部８以外にも、撮像レンズ５ａを通して撮影された画像を液晶表示パネル１７に表示することが可能となっている。なお、この液晶表示パネル１７の前面には、タッチパネルが設けられており、液晶表示パネル１７に表示された画像を見ながら、タッチパネルを指等で押圧することによって、各種操作を行うことが可能となっている。
【００１８】
グリップ部４は、図２及び図４に示すように、このデジタルビデオカメラ１を撮影者が把持する部分であり、本体部２の連結部１３に回動ヒンジ機構１８を介して回動可能に取り付けられている。この回動ヒンジ機構１８は、グリップ部４を本体部２に対して図４中矢印Ｃに示す光軸と直交する軸回りに略９０゜の角度範囲で回動可能に支持している。したがって、このデジタルビデオカメラ１では、撮影時の位置や角度等に合わせて本体部２に対するグリップ部４の向きを切り替えることが可能である。
【００１９】
なお、グリップ部４の各所には、このグリップ部４を把持しながら、撮影のための各種操作を行うためのシャッタボタン１９ａやズームレバー１９ｂ等が設けられている。また、グリップ部４の側面には、このグリップ部４を把持した手を押さえるためのグリップベルト（図示せず。）が取り付けられている。
【００２０】
また、グリップ部４には、図５に示すように、このグリップ部４の筐体を構成する蓋体２０が開閉可能に取り付けられており、この蓋体２０の内側には、テープカセット２１を装着するためのカセット装着部２２が設けられている。なお、グリップ部４の内部には、上述した撮像ユニット及び音声収録ユニットからの映像信号及び音声信号等を記録／再生するための記録再生ユニットとして、上述したテープカセット装着部２２に装着されたテープカセット２１の磁気テープに対して、信号の記録／再生を行う回転ヘッド装置や、複数のガイドローラにより引き回された磁気テープをピンチローラとキャップスタンとで挟み込みながら、この磁気テープを一定の速度で走行させるテープ走行機構等が設けられている。
【００２１】
以上のように構成されるデジタルビデオカメラ１では、グリップ部４を把持した状態で、背面側のファインダ部８を覗きながら、或いはパネル部３の液晶表示パネル１７を見ながら、動画や静止画等の撮影を行うことが可能である。
【００２２】
また、このデジタルビデオカメラ１では、本体部２に対するパネル部３の向きを切り替えることによって、例えば液晶表示パネル１７を見ながら撮影者自身を撮影するといったことが可能である。
【００２３】
さらに、このデジタルビデオカメラ１では、撮影時の位置や角度等に合わせて本体部２に対するグリップ部４の向きを切り替えることによって、グリップ部４の握り易さと安定した角度での撮影を可能としている。特に、図４に示す状態では、本体部２に対してグリップ部４がちょうど一眼レフと同じような形態となるため、撮影者が静止画を撮影し易くなるといった効果がある。
【００２４】
ところで、このデジタルビデオカメラ１では、図２及び図６に示すように、デザイン性を向上させるため、本体部２の背面側のファインダ部８よりも下方に位置して、この本体部２の内部にバッテリ９を収納する構造となっている。また、図６に示すバッテリ挿脱口１０を開放する開放位置と、図２に示すバッテリ挿脱口１０を閉塞する閉塞位置との間で開閉操作される蓋体１２は、機能性や斬新さ、美感等の向上を図るため、その開閉方向が鉛直方向となっている。
【００２５】
また、蓋体１２の内部には、図７に示すように、バッテリ収納部１１に収納されたバッテリ９に対する回路部２３が設けられている。この回路部２３には、表示ボタン２３ａが設けられており、この表示ボタン２３ａを押すことによって、例えばバッテリ９の残量や撮影可能時間等を液晶表示パネル１７に表示することが可能となっている。このデジタルビデオカメラ１では、このようなバッテリ９に関係する回路及び機能を蓋体１２に集約することによって、更なる小型化及び品質向上が図られている。また、この蓋体１２に設けられた表示ボタン２３ａは、必然的に操作者にとってバッテリ９に関連した機能ボタンであるとの印象を与えることから、更なる操作性の向上を図ることが可能である。
【００２６】
この蓋体１２を開閉するための蓋開閉機構３０は、図８に示すように、この蓋体１２を開閉可能に支持するヒンジ機構３１と、このヒンジ機構３１と共に蓋体１２を開閉可能に支持する支持機構３２と、この蓋体１２がバッテリ挿脱口１０を閉塞した状態を保持する蓋ロック機構３３と、バッテリ収納部１１に収納されたバッテリ９がバッテリ挿脱口１０から排出される方向に移動するのを係止するバッテリロック機構３４とを備えている。
【００２７】
ヒンジ機構３１は、いわゆる蝶番であり、蓋体１２は、このヒンジ機構３１を介して本体部２の背面側の底面部に基端側が回動可能に支持されている。具体的に、このヒンジ機構３１は、支軸３５と、この支軸３５が挿通される蓋体１２側の軸受部（以下、蓋体側軸受部という。）３６及び本体部２側の軸受部（以下、本体側軸受部という。）３７とを有し、これら蓋体側軸受部３６及び本体側軸受部３７は、支軸３５を軸支するため、この支軸３５の両側に一対配置されている。
【００２８】
このうち、蓋体側軸受部３６は、蓋体１２を構成する蓋フレーム３８の一部を支軸３５の軸径に対応させてカーリングした部分であり、その軸線方向の両端部には、一対の係止部３９ａ，３９ｂが切り欠き形成されている。なお、蓋体１２は、この蓋フレーム３８に外装となる蓋カバー１２ａがネジ止めにより取り付けられた構造となっている。
【００２９】
一方、本体側軸受部３７は、本体部２内のバッテリ収納部１１を構成するケース体の下面にネジ止めされた本体フレーム４０の一部を支軸３５の軸径に対応させてカーリングした部分であり、その蓋体側軸受部３６を挟んだ軸線方向の両側には、一対の被係止部４１ａ，４１ｂが切り欠き形成されている。このうち、外側の被係止部４１ａは、図１０に示すように、蓋体側軸受部３６の外側の係止部３９ａを軸回りの上部側にて係止する。一方、内側の被係止部４１ｂは、図１１に示すように、蓋体側軸受部３６の内側の係止部３９ｂを下部側にて係止する。
【００３０】
以上のように構成されるヒンジ機構３１は、図８及び図９に示すように、本体フレーム４０に対して蓋フレーム３８を上記開放位置と上記閉塞位置との間で回動可能に支持している。
【００３１】
ところで、蓋体側軸受部３６と本体側軸受部３７とは、支軸３５を中心に互いに逆向きに回動されると共に、図９に示す開放位置にて一対の係止部３９ａ，３９ｂが一対の被係止部４１ａ，４１ｂに対して互いに逆向きに当接されることによって、蓋体１２のバッテリ挿脱口１０を開放する側への回動を係止する。
【００３２】
このとき、蓋体側軸受部３６及び本体側軸受部３７には、一対の係止部３９ａ，３９ｂが一対の被係止部４１ａ，４１ｂに対して互いに逆向きに当接されることによって、それぞれカーリングした部分を巻き込む方向の外力が加わると共に、図１０に示す上部側の係止部３９ａと被係止部４１ａとの当接位置に加わる外力のモーメントと、図１１に示す下部側の係止部３９ｂと被係止部４１ｂとの当接位置に加わる外力のモーメントとが互いに逆向きとなる。
【００３３】
したがって、このヒンジ機構３１では、上記開放位置において蓋体側軸受部３６及び本体側軸受部３７に挿通された支軸３５に負荷が直接加わらない構造となっている。これにより、ヒンジ機構３１の剛性を確保し、蓋体１２の取付強度を高めることが可能である。
【００３４】
支持機構３２は、図８及び図９に示すように、上記開放位置にある蓋体１２を支持すると共に、上記開放位置まで回動された蓋体１２のストッパとして機能するものである。また、この支持機構３２は、蓋体１２がバッテリ挿脱口１０を開放する側へと回動したときに上記開放位置にてクリック感を付与するクリック機構を構成している。
【００３５】
具体的に、この支持機構３２は、バッテリ収納部１１を構成するケース体の一側面に沿って本体フレーム４０と一体に形成された支持フレーム４２と、この支持フレーム４２に回動可能に取り付けられた回動アーム４３と、この回動アーム４３と蓋フレーム３８とを連結する連結アーム４４とを有している。
【００３６】
支持フレーム４２には、回動アーム４３の回動を案内するガイド孔４５と、このガイド孔４５内で延長された弾性片４６の先端部に上記クリック機構を構成する係合突部４６ａとが設けられている。
【００３７】
回動アーム４３は、支持フレーム４２の内側面に支軸４７を介して回動可能に支持される内側アーム４３ａと、支持フレーム４２の外側面に沿って内側アーム４３ａと一体に回動される外側アーム４３ｂと、支持フレーム４２のガイド孔４５に挿通された状態で内側アーム４３ａと外側アーム４３ｂとを連結する連結部４３ｃとが一体に形成された形状を有している。
【００３８】
内側アーム４３ａには、回動時に適度なフリクションを付与するため、支持フレーム４２の内側面と摺接される摺接突部４８が支持フレーム４２の内側面に向かって突出形成されている。また、内側アーム４３ａには、蓋体１２が上記開放位置まで回動されたとき連結アーム４４の更なる回動を係止する係止突部４９が突出形成されている。
【００３９】
外側アーム４３ｂには、連結部４３ｃの近傍に位置して支持フレーム４２側に傾斜するように折り曲げられた折曲げ片５０と、この折曲げ片５０とは回動方向の反対側に位置して、上述した係合突部４６ａと共に上記クリック機構を構成する係合孔５１とが設けられている。
【００４０】
連結部４３ｃは、この回動アーム４３の回動によってガイド孔４５内を移動すると共に、蓋体１２が上記開放位置まで回動されたときに、ガイド孔４５の一端と当接されることによって当該回動アーム４３の更なる回動を係止する。
【００４１】
連結アーム４４は、長尺状の平板部材からなり、その一端が内側アーム４３ａに支軸５２を介して回動可能に支持されると共に、その他端が蓋フレーム３８に支軸５３を介して回動可能に支持されている。
【００４２】
以上のように構成される支持機構３２では、蓋体１２がバッテリ挿脱口１０を開放する側へと回動したときに、上記開放位置にて係合突部４６ａが係合孔５１に係合される。これにより、適度な抵抗（クリック感）を付与しながら、蓋体１２を上記開放位置に保持する。したがって、操作者は、このようなクリック感によって上記開放位置を体感的に認識することが可能である。一方、蓋体１２がバッテリ挿脱口１０を閉塞する側へと回動したときには、所定の位置にて折曲げ片５０が係合突部４６ａを乗り越える。このとき、折曲げ片５０の弾性力によって蓋体１２を上記閉塞位置へと移動させる。そして、蓋体１２がバッテリ挿脱口１０を閉塞した際には、この支持機構３２を蓋体１２の内側にコンパクトに収納することが可能である。
【００４３】
また、この支持機構３２では、蓋体１２が上記開放位置まで回動されたときに、回動アーム４３の連結部４３ｃがガイド孔４５の一端と当接されると共に、係止突部４９が連結アーム４４の更なる回動を係止することによって、回動アーム４３の更なる回動を係止する。これにより、蓋体１２の取付強度を高めると共に、蓋体１２を開放した際の剛性を確保することが可能である。また、図６に示す開放位置において、蓋体１２は、バッテリ収納部１１の内側底面部と連続した面を形成することによって、後述するバッテリ９の交換の際にバッテリ挿脱口１０から挿脱されるバッテリ９のガイドとして機能することになる。
【００４４】
蓋ロック機構３３は、図８，図１２及び図１３に示すように、蓋体１２の先端側の一側面部から外部に臨む操作部材５４と、この操作部材５４を押圧することによって水平方向にスライドされる水平スライド板５５と、この水平スライド板５５をスライド方向の一方側へと付勢する第１のコイルバネ５６と、この水平スライド板５５のスライド動作に連動して鉛直方向にスライドされる鉛直スライド板５７と、この鉛直スライド板５７をスライド方向の一方側へと付勢する第２のコイルバネ５８とを有している。
【００４５】
操作部材５４は、蓋カバー１２ａに形成された開口部から外部に臨む摘み部５４ａを有し、この摘み部５４ａの反対側が水平スライド板５５に取り付けられている。
【００４６】
水平スライド板５５は、水平方向、すなわち操作部材５４の押圧方向と平行な方向に亘って形成された一対のガイド孔５９を有し、これらガイド孔５９に挿通された一対の頭付きガイドピン６０が蓋フレーム３８に固定されることによって、当該蓋フレーム３８に対して水平方向にスライド可能に支持されている。また、水平スライド板５５は、操作部材５４が取り付けられる側とは反対側に、後述する鉛直スライド板５７を鉛直方向にスライドさせるためのカム部６１を有している。このカム部６１は、後述する鉛直スライド板のカムピン６４と摺接される面が緩やかな傾斜面とされている。
【００４７】
第１のコイルバネ５６は、一端側から蓋フレーム３８に設けられた支持ピンが挿入され、他端側から水平スライド板５５に設けられた支持ピンが挿入されることによって、これら支持ピンの間に圧縮された状態で保持されている。これにより、第１のコイルバネ５６は、操作部材５４を押圧する方向とは逆向きに水平スライド板５５を付勢することになる。
【００４８】
鉛直スライド板５７は、鉛直方向、すなわち水平スライド板５５のスライド方向と直交する方向に亘って形成された一対のガイド孔６２を有し、これらガイド孔６２に挿通された一対の頭付きガイドピン６３が蓋フレーム３８に固定されることによって、当該蓋フレーム３８に対して鉛直方向にスライド可能に支持されている。また、この鉛直スライド板５７には、水平スライド板５５のカム部６１と当接されるカムピン６４が取り付けられている。また、この鉛直スライド板５７は、蓋体１２の先端側から突出される一対のロック爪６５を有している。一方、バッテリ収納部１１を構成するケース体の上面には、ロックフレーム６６がネジ止めにより取り付けられており、このロックフレーム６６には、蓋体１２がバッテリ挿脱口１０を閉塞した状態において、一対のロック爪６５が係合される一対のロック孔６７が形成されている。
【００４９】
第２のコイルバネ５８は、一端側から蓋フレーム３８に設けられた支持ピンが挿入され、他端側から鉛直スライド板５７に設けられた支持ピンが挿入されることによって、これら支持ピンの間に圧縮された状態で保持されている。これにより、第２のコイルバネ５８は、一対のロック爪６５がロックフレーム６６の一対のロック孔６７に係合される方向に鉛直スライド板５７を付勢することになる。
【００５０】
以上のように構成される蓋ロック機構３３では、蓋体１２がバッテリ挿脱口１０を閉塞した状態において、一対のロック爪６５が一対のロック孔６７に係合されることによって、蓋体１２のバッテリ挿脱口１０を開放する側への回動が係止される。これにより、蓋体１２がバッテリ挿脱口１０を閉塞した状態を保持することができる。
【００５１】
一方、このロック状態から、蓋体１２の先端側の側面部に設けられた摘み部５４ａを摘むことによって、操作部材５４により押圧された水平スライド板５５が第１のコイルバネ５６の付勢に抗してスライド方向の他方側へとスライドされる。このとき、水平スライド板５５のカム部６１が鉛直スライド板５７のカムピン６４と摺接しながら、この鉛直スライド板５７を第２のコイルバネ５８の付勢に抗してスライド方向の他方側へとスライドさせる。これにより、一対のロック孔６７に対する一対のロック爪６５の係合状態が解除される。したがって、このロック解除状態から、蓋体１２をバッテリ挿脱口１０を開放する方向に回動することによって、このバッテリ挿脱口１０を開放することができる。
【００５２】
一方、蓋体１２がバッテリ挿脱口１０を開放した状態から、この蓋体１２を上記閉塞位置まで回動させたときには、一対のロック爪６５がロックフレーム６６のロック孔６７に係合されることによって、再び蓋体１２がバッテリ挿脱口１０を閉塞した状態を強固に保持することができる。
【００５３】
バッテリロック機構３４は、図６及び図１４に示すように、バッテリ収納部１１に収納されたバッテリ９のバッテリ挿脱口１０から臨む一面を係止するロック位置と、バッテリ９に対する係止状態を解除するアンロック位置との間で回動可能に支持されたロック部材６８と、このロック部材６８をロック位置側へと付勢するバネ部材６９とを有している。
【００５４】
ロック部材６８は、全体略平板状の樹脂部材からなり、バッテリ収納部１１を構成するケース体の一側面に沿って配置されると共に、基端側が支軸７０を介して支持フレーム４２に回動可能に支持されている。
【００５５】
また、このロック部材６８の先端部には、バッテリ挿脱口１０から臨むバッテリ９の一面を係止するフック部７１が設けられており、このフック部７１には、バネ部材６９の付勢に抗して当該ロック部材６８を上記アンロック位置側へと移動操作するための操作凹部７１ａが設けられている。
【００５６】
バネ部材６９は、捻りコイルバネであり、支軸７０を挿通した状態で一端が支持フレーム４２に係止され、他端がロック部材６８に係止されることによって、ロック部材６８をロック位置側へと付勢している。なお、バネ部材６９は、このような捻りコイルバネに限らず、ロック部材６８をロック位置側へと付勢する弾性体であれば、例えば板バネや圧縮コイルバネ等を用いることも可能である。
【００５７】
一方、支持フレーム４２には、このバネ部材６９に付勢されたロック部材６８のロック位置側への回動を規制する規制板７２が複数のネジ７３により取り付けられている。また、この支持フレーム４２には、ロック部材６８のアンロック位置側への回動を規制する規制凹部７４が設けられている。
【００５８】
また、図示を省略するが、バッテリ収納部１１のバッテリ挿脱口１０と対向する内側面には、このバッテリ収納部１１に収納されたバッテリ９をバッテリ挿脱口１０から排出方向へと押圧する略円錐状のコイルバネが設けられている。
【００５９】
以上のように構成されるバッテリロック機構３４では、バッテリ９がバッテリ挿脱口１０からバッテリ収納部１１に挿入されると、このバッテリ９と当接されたロック部材６８の先端部がバネ部材６９の付勢に抗してアンロック位置側へと回動される。そして、この状態で更にバッテリ９がバッテリ収納部１１へと挿入されることによって、このバッテリ収納部１１内のコイルバネを圧縮しながらバッテリ９がバッテリ収納部１１に収納された状態となる。このとき、ロック部材６８のフック部７１がバネ部材６９に付勢されてロック位置側へと回動される。そして、ロック部材６８のフック部７１がバッテリ収納部１１に収納されたバッテリ９のバッテリ挿脱口１０から臨む一面を係止する。これにより、バッテリ収納部１１に収納されたバッテリ９がバッテリ挿脱口１０から排出される方向に移動するのを係止することができる。
【００６０】
一方、この状態から、ロック部材６８の操作凹部７１ａを指で押しながら、このロック部材６８をバネ部材６９の付勢に抗してアンロック位置側へと回動させると、ロック部材６８との係止状態が解除されたバッテリ９がバッテリ収納部１１内のコイルバネに付勢されてバッテリ収納部１１から押し出される。これにより、バッテリ９をバッテリ挿脱口１０からバッテリ収納部１１の外部へと排出することができる。
【００６１】
ところで、図６に示す開放位置において、蓋体１２は、バッテリ収納部１１の内側底面部と連続した面を形成することによって、バッテリ挿脱口１０から挿脱されるバッテリ９のガイドとして機能することになる。これにより、バッテリ挿脱口１０からバッテリ９を挿脱する際のバッテリ９の落下を防止すると共に、このバッテリ９の交換を容易に行うことが可能となっている。
【００６２】
以上のように、このデジタルビデオカメラ１では、本体部２の背面側のファインダ部８よりも下方にバッテリ挿脱口１０が設けられており、このバッテリ挿脱口１０を閉塞する蓋体１２の先端側の側面部に設けられた摘み部５４ａを摘むことによって、蓋ロック機構３３によるロック状態が解除される。そして、この摘み部５４を摘んだ状態のまま、蓋体１２を回動させることによってバッテリ挿脱口１０を開放することが可能である。これにより、本体部２の限られたスペースに設けられたバッテリ収納部１１に対する蓋体１２の開閉操作やバッテリ９の交換等における使い勝手を更に向上させることが可能である。
【産業上の利用可能性】
【００６３】
なお、本発明は、上記デジタルビデオカメラ１に限定されるものではなく、このようなデジタルビデオカメラの他にもデジタルスチルカメラ等の撮像装置に対して広く適用可能である。
【図面の簡単な説明】
【００６４】
【図１】本発明を適用したデジタルビデオカメラを前面側から見た斜視図である。
【図２】上記デジタルビデオカメラを背面側から見た斜視図である。
【図３】上記デジタルビデオカメラのパネル部を開いた状態を示す斜視図である。
【図４】上記デジタルビデオカメラのグリップ部を回動させた状態を示す斜視図である。
【図５】上記デジタルビデオカメラのグリップ部を開いた状態を示す斜視図である。
【図６】上記デジタルビデオカメラのバッテリが収納された状態を示す要部斜視図である。
【図７】蓋開閉機構の構成を示す正面図である。
【図８】蓋開閉機構の構成を示す斜視図である。
【図９】支持機構の構成を示す要部斜視図である。
【図１０】ヒンジ機構を上部側から見た要部斜視図である。
【図１１】ヒンジ機構を下部側から見た要部斜視図である。
【図１２】蓋ロック機構を上部側から見た要部斜視図である。
【図１３】蓋ロック機構を下部側から見た要部斜視図である。
【図１４】バッテリロック機構の構成を示す要部斜視図である。
【符号の説明】
【００６５】
１  デジタルビデオカメラ、  ２  本体部、  ３  パネル部、  ４  グリップ部、９  バッテリ、  １０  バッテリ挿脱口、  １１  バッテリ収納部、  １２  蓋体、  ３０  蓋開閉機構、  ３１  ヒンジ機構、  ３２  支持機構、  ３３  蓋ロック機構、  ３４  バッテリロック機構
【図１】
2005210527.tif 000003
【図２】
2005210527.tif 000004
【図３】
2005210527.tif 000005
【図４】
2005210527.tif 000006
【図５】
2005210527.tif 000007
【図６】
2005210527.tif 000008
【図７】
2005210527.tif 000009
【図８】
2005210527.tif 000010
【図９】
2005210527.tif 000011
【図１０】
2005210527.tif 000012
【図１１】
2005210527.tif 000013
【図１２】
2005210527.tif 000014
【図１３】
2005210527.tif 000015
【図１４】
2005210527.tif 000016